(57)【要約】【課題】ＬＥＤからの光を多数の導光ピンによって拡散させて均一発光を実現することができるＬＥＤランプを提供すること。【解決手段】光源であるＬＥＤ２と、該ＬＥＤ２から出射される光を透過させるレンズ４を含んで構成されるＬＥＤランプ１において、前記レンズ４の内面に複数の導光ピン４ａを立設する。又、前記レンズ４の内面の光軸Ｘを中心とする同心円上に複数の前記導光ピン４ａを立設する。更に、複数の前記導光ピン４ａの配列ピッチ及び／又は直径を光軸Ｘから径方向外方に沿って大きく設定し、或いは複数の前記導光ピン４ａの高さを光軸Ｘから径方向外方に沿って高く設定する。【選択図】図１
2014127227.tif 000002
【特許請求の範囲】
【請求項１】
光源であるＬＥＤと、該ＬＥＤから出射される光を透過させるレンズを含んで構成されるＬＥＤランプにおいて、
前記レンズの内面に複数の導光ピンを立設したことを特徴とするＬＥＤランプ。
【請求項２】
前記レンズ内面の光軸を中心とする同心円上に複数の前記導光ピンを立設したことを特徴とする請求項１記載のＬＥＤランプ。
【請求項３】
複数の前記導光ピンの配列ピッチを光軸から径方向外方に沿って大きく設定したことを特徴とする請求項２記載のＬＥＤランプ。
【請求項４】
複数の前記導光ピンの直径を光軸から径方向外方に沿って大きく設定したことを特徴とする請求項２又は３記載のＬＥＤランプ。
【請求項５】
複数の前記導光ピンの高さを光軸から径方向外方に沿って高く設定したことを特徴とする請求項２〜４の何れかに記載のＬＥＤランプ。
【発明の詳細な説明】
【技術分野】
【０００１】
本発明は、光源としてＬＥＤ(発光ダイオード)を使用するＬＥＤランプに関するものである。
【背景技術】
【０００２】
近年、例えば車両のヘッドランプ等においても、光源として省電力で高寿命であるＬＥＤが使用されてきているが、ＬＥＤの問題は、投入した電力の大部分が熱となり、自身が発する熱によって発光効率と寿命が低下するという点である。又、ＬＥＤから出射する光は指向性が強く、そのままでは照明等の用途に供することができないという問題がある。
【０００３】
そこで、ＬＥＤを光源とするＬＥＤランプにはヒートシンクが設けられており、ＬＥＤ光源が発生する熱をヒートシンクによって放熱することによってＬＥＤの温度上昇を抑えるようにしている。
【０００４】
又、光を透過するレンズにプリズムカット等のレンズカットを施し、ＬＥＤから出射する指向性の強い光をレンズカットで拡散させることによって均一発光を実現することが行われている（例えば、特許文献１等参照）。
【先行技術文献】
【特許文献】
【０００５】
【特許文献１】特開２０１０−１４０６７６号公報
【発明の概要】
【発明が解決しようとする課題】
【０００６】
本発明は、レンズカット以外の手段によって均一発光を実現するものであって、その目的とする処は、ＬＥＤからの光を多数の導光ピンによって拡散させて均一発光を実現することができるＬＥＤランプを提供することにある。
【課題を解決するための手段】
【０００７】
上記目的を達成するため、請求項１記載の発明は、光源であるＬＥＤと、該ＬＥＤから出射される光を透過させるレンズを含んで構成されるＬＥＤランプにおいて、前記レンズの内面に複数の導光ピンを立設したことを特徴とする。
【０００８】
請求項２記載の発明は、請求項１記載の発明において、前記レンズ内面の光軸を中心とする同心円上に複数の前記導光ピンを立設したことを特徴とする。
【０００９】
請求項３記載の発明は、請求項２記載の発明において、複数の前記導光ピンの配列ピッチを光軸から径方向外方に沿って大きく設定したことを特徴とする。
【００１０】
請求項４記載の発明は、請求項２又は３記載の発明において、複数の前記導光ピンの直径を光軸から径方向外方に沿って大きく設定したことを特徴とする。
【００１１】
請求項５記載の発明は、請求項２〜４の何れかに記載の発明において、複数の前記導光ピンの高さを光軸から径方向外方に沿って高く設定したことを特徴とする。
【発明の効果】
【００１２】
本発明によれば、ＬＥＤから出射する指向性の強い光は、複数の導光ピンに入射し、各導光ピン内を全反射しながら進んでレンズ表面から出射するため、レンズの内面全体に亘って多数の導光ピンを配置することによって、ＬＥＤから出射する指向性の強い光をレンズ全体に亘って拡散させて均一発光を実現することができる。尚、導光ピンに入射しない光は、導光ピンの外周面で反射を繰り返しながら進んでレンズを透過し、レンズ全体から出射して均一発光に寄与する。そして、レンズ内面の光軸を中心とする同心円上に複数の導光ピンを立設し、これらの導光ピンの配列ピッチや直径を光軸から径方向外方に沿って大きく設定し、或いは複数の導光ピンの高さを光軸から径方向外方に沿って高く設定することによって、より一層均一な発光を実現することができる。
【図面の簡単な説明】
【００１３】
【図１】本発明の実施の形態１に係るＬＥＤランプ要部の側断面図である。
【図２】本発明の実施の形態１に係るＬＥＤランプのレンズ内面図（図１の矢視Ａ方向の図）である。
【図３】本発明の実施の形態２に係るＬＥＤランプ要部の側断面図である。
【発明を実施するための形態】
【００１４】
以下に本発明の実施の形態を添付図面に基づいて説明する。
【００１５】
＜実施の形態１＞
図１は本発明の実施の形態１に係るＬＥＤランプ要部の側断面図、図２は図１のＡ−Ａ線断面図であり、本実施の形態に係るＬＥＤランプ１は、光源であるＬＥＤ２と、該ＬＥＤ２を実装するＬＥＤ基板３と、ＬＥＤ２からの光出射方向（図１の上方）に設けられた球面状の透明なレンズ４を含んで構成されている。
【００１６】
上記レンズ４は光透過性の透明樹脂によって構成されており、その内面には複数の導光ピン４ａがＬＥＤ２に向かって一体に立設されている。ここで、レンズ４の内面に立設された複数の導光ピン４ａは、図２に示すように、レンズ４の内面の光軸Ｘを中心とする複数の同心円上に等角度ピッチでそれぞれ整然と配置されており、その径方向における配列ピッチと直径は径方向外方（図１の中心線(光軸Ｘ)から外周方向）に沿って次第に大きくなるよう設定されている。
【００１７】
以上のように構成されたＬＥＤランプ１において、ＬＥＤ２に電流が供給されて該ＬＥＤ２が発光すると、その指向性の強い光は、レンズ４の内面に立設された複数の導光ピン４ａに入射し、各導光ピン４ａ内を全反射しながら進んでレンズ４の表面から出射する。ここで、複数の導光ピン４ａはレンズ４の内面全体に亘って整然と配置されているため、ＬＥＤ２から出射する指向性の強い光はレンズ４の全体に亘って拡散しながらレンズ４の表面から出射し、これによって当該ＬＥＤランプ１の均一発光が実現し、該ＬＥＤランプ１を照明等の用途に供することができる。尚、導光ピン４ａに入射しない光は、導光ピン４ａの外周面で反射を繰り返しながら進んでレンズ４を透過し、レンズ４の全体から出射して均一発光に寄与する。
【００１８】
そして、本実施の形態では、レンズ４の内面の光軸Ｘを中心とする同心円上に複数の導光ピン４ａを立設し、これらの導光ピン４ａの配列ピッチと直径を光軸Ｘから径方向外方に沿って大きく設定したため、より一層均一な発光を実現することができる。
【００１９】
＜実施の形態２＞
次に、本発明の実施の形態２を図３に基づいて説明する。
【００２０】
図３は本発明の実施の形態２に係るＬＥＤランプ要部の側断面図であり、本図においては図１及び図２において示したものと同一要素には同一符号を付しており、以下、それらについての説明は省略する。
【００２１】
本実施の形態は、レンズ４の内面の光軸Ｘを中心とする同心円上に複数の導光ピン４ａを立設し、これらの導光ピン４ａの配列ピッチと直径を光軸Ｘから径方向外方に沿って大きく設定するとともに、複数の導光ピン４ａの高さを光軸Ｘから径方向外方に沿って高く設定したことを特徴としており、本実施の形態においても前記実施の形態１と同様の効果が得られる。
【００２２】
尚、複数の導光ピンの配列ピッチと直径及び高さは、これらの少なくとも何れか１つを径方向外方に沿って変化させることによっても前記と同様の効果が得られる。
【符号の説明】
【００２３】
１      ＬＥＤランプ
２      ＬＥＤ
３      ＬＥＤ基板
４      レンズ
４ａ    導光ピン
Ｘ      光軸
【図１】
2014127227.tif 000003
【図２】
2014127227.tif 000004
【図３】
2014127227.tif 000005